(57)【要約】【課題】ベース樹脂とは異なる機能性樹脂からなるビス固定性向上剤を取付け基台に穿った挿通孔に複合させ、ビスと共に回ることなく、外れたり、浮いたりすることなく該取付け基台を被取付面に固定することのできる軒樋支持具の取付構造を提供する。【解決手段】合成樹脂からなる軒樋支持具であって、該軒樋支持具の本体は被取付面に取着される取付け基台１と軒樋を吊り下げ支持する支持部２とから構成され、上記取付け基台１には複数の挿通孔８が穿たれるとともに、該挿通孔８には上記軒樋支持具を形成するベース樹脂とは異なる機能性樹脂からなりビス孔３を有するビス固定性向上材４を装着し、成形、複合されてなる軒樋支持具の取付構造Ａ。【選択図】図３
2009074331.tif 000002
【特許請求の範囲】
【請求項１】
合成樹脂からなる軒樋支持具であって、該軒樋支持具の本体は被取付面に取着される取付け基台と軒樋を吊り下げ支持する支持部とから構成され、上記取付け基台には複数の挿通孔が穿たれるとともに、該挿通孔には上記軒樋支持具を形成するベース樹脂とは異なる機能性樹脂からなりビス孔を有するビス固定性向上材を装着し、成形、複合されてなる軒樋支持具の取付構造。
【請求項２】
上記ビス固定性向上材を挿通孔の内面をライニングするライニング部と被取付面側に突出する隆起突出部とビス孔の入り口部に内方に突出して周設された円環部とから構成し、上記隆起突出部の円周面に凸部を突設し、該凸部に突起を設けるとともに、上記取付け基台に穿たれた挿通孔の近辺に被取付面側に開口する有底開口部を設け、上記突起を有底開口部に嵌合してなる請求項１記載の軒樋支持具の取付構造。
【請求項３】
上記ビス固定性向上材を挿通孔の内面をライニングするライニング部と被取付面側に突出する隆起突出部とビス孔の入り口部に内方に突出して周設された円環部とから構成し、上記挿通孔の被取付面側の一部を座繰りして係合凹部を設けるとともに、上記隆起突出部の円周面に上記係合凹部に係合する係合凸部を突設し、上記係合凹部に係合凸部を係合させてなる請求項１記載の軒樋支持具の取付構造。
【請求項４】
合成樹脂からなる軒樋支持具であって、該軒樋支持具の本体は被取付面に取着される取付け基台と軒樋を吊り下げ支持する支持部とから構成され、上記取付け基台には複数の挿通孔が穿たれるとともに、該挿通孔には上記軒樋支持具を形成するベース樹脂とは異なる機能性樹脂からなりビス孔を有するビス固定性向上材を装着し、成形、複合され、取付け基台の裏面で複数のビス固定性向上材が一体化された軒樋支持具の取付構造。
【発明の詳細な説明】
【技術分野】
【０００１】
本願発明は、軒樋支持具に関し、特に軒樋の前耳部と後耳部とを係止して吊り下げ方式で軒樋を支持する軒樋支持具の取付構造に関するものである。
【背景技術】
【０００２】
建物の柱や壁、鼻隠し板などの被取付面に各種雨樋、例えば軒樋を取り付ける際に使用する軒樋支持具としては、例えば本願図８に示す吊り下げ式の軒樋支持具が知られている。すなわち、本願図８に示すように、公知の軒樋支持具Ｄは、その本体が被取付面に取着される取付部１ａと軒樋を支持する支持部２ａとからなり、支持部２ａの先端には軒樋の屋外側となる前耳部を支持する前耳支持部２１ａが設けられている。
【０００３】
一方、支持部２ａの下面部２２ａには板バネ片２３ａが突設され、取付部１ａの屋外側には、係止片１１ａが上方に傾斜して形成され、上記板バネ片２３ａとこの係止片１１ａとが軒樋の屋内側となる後耳部を挟持するように吊り下げて支持し、このようにして、軒樋は軒先の鼻隠し板などの被取付面に取り付けられる。また、取付部１ａには、複数のビス孔３ａが挿通され、釘、ネジ等の固着具によって被取付面にしっかりと固定される。
【０００４】
上記のようにして軒樋支持具に吊り下げて支持される軒樋は、弾性を有する合成樹脂から形成されたものが好ましく用いられ、例えば、硬質ポリ塩化ビニル樹脂、ポリカーボネート樹脂、ＡＢＳ樹脂などの樹脂材料から軒樋本体、前耳部、後耳部を一体的に成形したものが用いられる。
【０００５】
上記した被取付面、例えば、鼻隠し板が木製の場合は、防火対策や美観の面で、その表面が金属カバーで覆われることが多い。この金属カバーとして、美観性の面から化粧鋼板が使用され、通常、この化粧鋼板としては、鋼板の表面を塩化ビニル樹脂材料にて被覆した化粧鋼板、いわゆる塩ビ鋼板が使用されている。
【０００６】
しかしながら、軒樋支持具の取付部が取着される鼻隠し板の表面が、たとえば上記塩ビ鋼板で被覆されている場合、この被覆層である塩化ビニル樹脂材料中に含まれるＤＯＰ（フタル酸ジオクチル）の一種であるＤＥＨＰ（フタル酸ジ−２−エチルヘキシル）等の可塑剤が被覆層の表面側に移行し、さらに、この可塑剤が、例えば、ポリカーボネート樹脂やＡＢＳ樹脂製の軒樋支持具の取付部の表面側に移行し浸透すると、上記取付部自体を劣化（ストレスクラック）させるという問題がある。
【０００７】
上記した問題を解決するため、特開平０９−１６５８８８号公報には、鼻隠し板などの被取付面に可塑剤を含む塩化ビニル樹脂材料にて被覆された化粧鋼板が取り付けられていても、たとえばポリカーボネート樹脂製の軒樋支持具の取付部が上記可塑剤による機械的強度の劣化をうけることがなく、すぐれた品質特性を長期的に維持できる軒樋支持具が開示されている。
【０００８】
上記軒樋支持具は、本願図９に軒樋支持具Ｃの側面図として示すように、上記図８に示す公知の軒樋支持具Ｄの取付部１ａの裏面、すなわち、前記取付部１ａの被取付面に当接される面に、可塑剤の移行を防止する防止層４ａを設けたものであり、軒樋支持具をポリカーボネート樹脂製としたとき、防止層を可塑剤を含まない硬質塩化ビニル樹脂層とするのが望ましいと記載されている。そして、具体的には、硬質塩化ビニル樹脂製の防止層４ａが約３ｍｍの厚さで一体に形成されていると述べられている。
【特許文献１】特開平０９−１６５８８８号公報
【発明の開示】
【発明が解決しようとする課題】
【０００９】
しかしながら、上記特許文献１に記載の軒樋支持具は、別途、可塑剤を含まない硬質塩化ビニル樹脂を準備しなければならず、また、取付部と支持部とからなる、例えば、ポリカーボネート樹脂製の軒樋支持具本体と上記硬質塩化ビニル樹脂とを一体的に成形しなければならず、成形工程が複雑となり、コスト的に有利に製造できないという問題がある。
【００１０】
そこで、本願図８に示す公知の軒樋支持具Ｄのビス孔３ａを、取付部１ａを構成するベース樹脂とは異なる機能を有する機能性樹脂でライニングするとともに、ビス孔３の被取付面側に突出する隆起突出部を設け、この隆起突出部によって被取付面と取付部の裏面とが直接当接することを阻止する技術が本出願人により既に出願されている。
【００１１】
しかしながら、機能が異なった樹脂を一体化して成形する場合、樹脂どうしの密着が困難で外れや浮きが生じ易いという問題がある。本願発明は上記背景技術に鑑みてなしたものであり、その目的は、軒樋支持具を構成する取付け基台に挿通孔を設け、この挿通孔に軒樋支持具を形成するベース樹脂とは異なる機能性樹脂からなるビス固定性向上材を複合させ、固着用ビスと共に回ることなく、また、簡単に外れたり、浮いたりすることがなく軒樋支持具を被取付面にビス固定することのできる軒樋支持具の取付構造を提供することである。
【課題を解決するための手段】
【００１２】
上記課題を解決するために、本願請求項１記載の発明に係る軒樋支持具の取付構造は、合成樹脂からなる軒樋支持具であって、該軒樋支持具の本体は被取付面に取着される取付け基台と軒樋を吊り下げ支持する支持部とから構成され、上記取付け基台には複数の挿通孔が穿たれるとともに、該挿通孔には上記軒樋支持具を形成するベース樹脂とは異なる機能性樹脂からなりビス孔を有するビス固定性向上材を装着し、成形、複合されてなることを特徴としている。
【００１３】
本願請求項２記載の発明は、上記請求項１記載の軒樋支持具の取付構造において、上記ビス固定性向上材を挿通孔の内面をライニングするライニング部と被取付面側に突出する隆起突出部とビス孔の入り口部に内方に突出して周設された円環部とから構成し、上記隆起突出部の円周面に凸部を突設し、該凸部に突起を設けるとともに、上記取付け基台に穿たれた挿通孔の近辺に被取付面側に開口する有底開口部を設け、上記突起を有底開口部に嵌合してなることを特徴としている。
【００１４】
本願請求項３記載の発明は、上記請求項１記載の軒樋支持具の取付構造において、上記ビス固定性向上材を挿通孔の内面をライニングするライニング部と被取付面側に突出する隆起突出部とビス孔の入り口部に内方に突出して周設された円環部とから構成し、上記挿通孔の被取付面側の一部を座繰りして係合凹部を設けるとともに、上記隆起突出部の円周面に上記係合凹部に係合する係合凸部を突設し、上記係合凹部に係合凸部を係合させたることを特徴としている。
【００１５】
本願請求項４記載の発明に係る軒樋支持具の取付構造は、合成樹脂からなる軒樋支持具であって、該軒樋支持具の本体は被取付面に取着される取付け基台と軒樋を吊り下げ支持する支持部とから構成され、上記取付け基台には複数の挿通孔が穿たれるとともに、該挿通孔には上記軒樋支持具を形成するベース樹脂とは異なる機能性樹脂からなりビス孔を有するビス固定性向上材を装着し、成形、複合され、取付け基台の裏面で複数のビス固定性向上材が一体化されてなることを特徴としている。
【発明の効果】
【００１６】
本願請求項１記載の発明に係る軒樋支持具の取付構造においては、該軒樋支持具の本体は被取付面に取着される取付け基台と軒樋を吊り下げ支持する支持部とから構成し、上記取付け基台には複数の挿通孔が穿たれるとともに、該挿通孔には上記軒樋支持具を形成するベース樹脂とは異なる機能性樹脂からなりビス孔を有するビス固定性向上材を装着して成形、複合されているため取着用ビスを螺入するとき、ビスと共に回ることなく、また、上記挿通孔から、上記ビス固定性向上材が簡単に外れたり、浮くことを防ぎ、しっかりと複合化することができる。
【００１７】
本願請求項２記載の発明に係る軒樋支持具の取付構造においては、特に、上記ビス固定性向上材を挿通孔の内面ライニング部と被取付面側に突出する隆起突出部とビス孔の入り口部に内方に周設された円環部とから構成し、上記隆起突出部の円周面に凸部を突設し、その凸部に突起を設け、この突起を、上記取付け基台に穿たれ挿通孔の近辺に開口する有底開口部に嵌合させるため、上記ビス固定性向上材が挿通孔に密着して複合化し、取付け基台を軒先の鼻板等、被取付面に保持力を向上させてしっかりとビス固定することができる。
【００１８】
本願請求項３記載の発明に係る軒樋支持具の取付構造においては、特に、上記挿通孔の一部を座繰りして係合凹部を設けるとともに、上記隆起突出部に円周面に上記係合凹部に係合する係合凸部を突設し、上記係合凹部に係合凸部を係合させてなるため、取着用ビスを螺入するとき、ビスと共に回ることなく、また、比較的、簡単な構造で上記挿通孔から、上記ビス固定性向上材が外れたり、浮いたりすることを防げる。
【００１９】
本願請求項４記載の発明に係る軒樋支持具の取付構造においては、該軒樋支持具の本体は被取付面に取着される取付け基台と軒樋を吊り下げ支持する支持部とから構成され、上記取付け基台には複数の挿通孔が穿たれるとともに、該挿通孔には上記軒樋支持具を形成するベース樹脂とは異なる機能性樹脂からなりビス孔を有するビス固定性向上材を装着して成形され、取付け基台の裏面で複数のビス固定性向上材が一体化されてなるため取着用ビスを螺入するとき、ビスと共に回ることなく、また、上記ビス固定性向上材が上記挿通孔から、簡単に外れたり、浮いたりすることを防げる。
【発明を実施するための最良の形態】
【００２０】
以下、本願第１発明の軒樋支持具の取付構造にかかる実施形態を、該軒樋支持具の取付け基台に穿たれた複数の挿通孔のひとつを例に取って説明する。図１は、上記挿通孔８にビス固定性向上材４を装着、成形して複合させる状態を示す説明図である。図１に示すように、ベース樹脂からなる取付け基台１には、挿通孔８が穿たれ、この挿通孔８から少し離れ、かつ、被取付面側に開口する有底開口部５が設けられている。
【００２１】
図２は、図１において、機能性樹脂からなるビス固定性向上材４を上記挿通孔８に装着して成形、複合し、ビス孔３を設けた本願第１発明の軒樋支持具の取付構造Ａを示す部分断面説明図である。図１、図２に示すように、上記ビス固定性向上材４は、挿通孔８の内面をライニングするライニング部４３と被取付面側に突出する隆起突出部４１とビス孔３の入り口部に内方に突出して周設された円環部４２とからなり、上記隆起突出部４１の円周面には凸部４１１が突設され、凸部４１１には突起４１２が設けられている。
【００２２】
上記突起４１２は取付け基台１に穿たれた有底開口部５に嵌合し、ビス９を螺入するとき、ビス固定性向上材４が共に回ることを防ぎ、また、ビス固定性向上材４が取付け基台１に穿たれた挿通孔８から外れたり、浮くことを防止する。また、上記円環部４２は、電動ドリル等でビス９をビス孔３に螺入するとき、ビス９を保持する仮固定部として機能し、作業性よく取付け基台１を鼻板等の被取付面にビス固定することができる。
【００２３】
図１、図２は上記隆起突出部４１にひとつの凸部４１１を設け、その凸部４１１にひとつの突起４１２を設けた場合を示したが、２個ないしは４個の凸部４１１を設けてもよい。図３は、隆起突出部４１に２個の凸部４１１を設け、ビス固定性向上材４を取付け基台１に穿たれた６個の挿通孔８に複合させた本願第１発明の軒樋支持具の取付構造Ａを示す斜視図である。
【００２４】
図３に示すように、上記取付構造Ａは、その本体が被取付面に取着される取付け基台１と軒樋を支持する支持部２とからなり、支持部２の先端には図外軒樋の屋外側となる前耳部を支持する前耳支持部２１が設けられている。また、支持部２の下面部２２には板バネ片２３が突設され、取付け基台１の屋外側には、係止片１１が上方に傾斜して形成され、上記板バネ片２３とこの係止片１１とが図外軒樋の屋内側となる後耳部を挟持するように吊り下げて支持する。
【００２５】
取付け基台１に穿たれた各々の挿通孔８にはビス固定性向上材４が装着され、成形されるが、隆起突出部４１に突設された２つの凸部４１１にそれぞれ設けられた突起４１２も上記有底開口部５（図示せず）にしっかりと嵌合して複合化される。このようにして、ビス固定性向上材４が外れたり、浮くことなく、また、作業性よく取付け基台１を鼻板等の被取付面にしっかりとビス固定することができる。
【００２６】
上記ベース樹脂としては、例えば、ＰＣ（ポリカーボネート）樹脂、硬質塩化ビニル樹脂、ＡＢＳ樹脂、ポリエステル樹脂、あるいはポリフェニレンサルファイド樹脂、ポリエーテルケトン樹脂、ポリエーテルエーテルケトン樹脂、ポリスルフォン樹脂などのエンジニアリング樹脂を使用することができる。コスト、品質および成形性の面から、ＰＣ（ポリカーボネート樹脂）が好ましく用いられる。また、機能性樹脂としては、ＰＰ（ポリプロピレン）樹脂、ＰＥ（ポリエチレン）樹脂、ＡＳ（アクリルスチレン共重合体）樹脂等が用いられる。
【００２７】
このとき、ビス固定性向上材４として可塑剤の移行を阻止する機能性樹脂からなるものを用いることにより、被取付面と取付け基台１の裏面とが直接当接することを阻止し、取付け基台１が可塑剤によって劣化することを防止することができる。
【００２８】
［実施例］
ベース樹脂としてのＰＣ樹脂からなる取付け基台に挿通孔を穿ち、機能性樹脂としてのＰＰ樹脂からなるビス固定性向上材を装着、成形、複合化して、第１発明にかかる軒樋支持具の取付構造を得た。得られた結果をまとめて図４に示す。実施例１、実施例２、実施例３の結果から、突起４１１を設けることにより、ベース樹脂と機能性樹脂との密着性が優れたものとなり、浮きが少なくなっていることが示されている。
【００２９】
図５は、上記した実施形態の変形例を示す説明図である。本変形例においては、図１に示す挿通孔８の上部を座繰りして係合凹部６が設けられるとともに、隆起突出部４１の円周面に上記係合凹部６に係合する係合凸部４４が突設される。
【００３０】
図６は、上記係合凹部６に係合凸部４４を係合させた状態を示す部分断面説明図である。図６に示すように、上記係合凹部６に係合凸部４４が係合することにより、ビス９を螺入するとき、ビス固定性向上材４が共に回ることを防ぎ、また、ビス固定性向上材４が取付け基台１に穿たれた挿通孔８から外れたり、浮くことを防げる。なお、図５、図６には係合凹部６と係合凸部４４とが１個所で係合する場合について述べたが、前記実施形態同様に１個所のみならず２個ないしは４個の複数個所で係合するようにしてもよい。
【００３１】
図７は本願第２発明にかかる軒樋支持具の取付構造Ｂを示す斜視図である。図７に示すように、上記軒樋支持具の本体は第１発明と同様に、被取付面に取着される取付け基台１と軒樋を吊り下げ支持する支持部２とから構成され、複数の挿通孔８が穿たれた取付け基台１には、ベース樹脂とは異なる機能性樹脂からなりビス孔３を有するビス固定性向上材４が装着され、複合化されている。
【００３２】
上記ビス固定性向上材４は、第１発明と同様に、挿通孔８の内面をライニングするライニング部４３と被取付面側に突出する隆起突出部４１とビス孔３の入り口部に内方に突出して周設された円環部４２とから構成されるが、本願第２発明においては、取付け基台の裏面で被取付面側に突出する隆起突出部４１が一体化され機能性樹脂層７が形成されている。このように、複数のビス固定性向上材４が一体とされているため、個々のビス固定性向上材４が挿通孔８から外れたり、浮くことなく、しっかりと挿通孔８に複合し、かくして、取付け基台１を鼻板等の被取付面にしっかりとビス固定することができる。
【００３３】
なお、図７に示す本願第２発明においては、すべての隆起突出部４１が一体化されているが、部分的に一体化してもよい。また横方向に一体化してもよい。このように、本願発明は設計変更自在であり、特許請求の範囲を逸脱しない限り、本願発明の技術的範囲に属する。
【図面の簡単な説明】
【００３４】
【図１】本願第１発明の軒樋支持具の取付構造にかかるビス固定性向上材を挿通孔に装着、成形して複合させる状態を示す説明図。
【図２】本願第１発明の軒樋支持具の取付構造かかるビス固定性向上材を挿通孔に複合してビスを螺入する状態を示す部分断面説明図。
【図３】本願第１発明の軒樋支持具の取付構造を示す斜視図。
【図４】実施例の結果をまとめて示す表。
【図５】図１に示す本願第１発明の軒樋支持具の取付構造の変形例を示す説明図。
【図６】図２に示す本願第１発明の軒樋支持具の取付構造の変形例を示す部分断面説明図。
【図７】本願第２発明にかかる軒樋支持具の取付構造を示す斜視図。
【図８】公知の軒樋支持具を示す斜視図。
【図９】可塑剤の移行を防止する防止層が設けられた公知の軒樋支持具。
【符号の説明】
【００３５】
Ａ      本願第１発明にかかる軒樋支持具の取付構造
Ｂ      本願第２発明にかかる軒樋支持具の取付構造
Ｃ      可塑剤の移行を防止する防止層が設けられた公知の軒樋支持具
Ｄ      公知の軒樋支持具
１      取付け基台
１１    係止片
２      支持部
２１    前耳支持部
２２    下面部
２３    板バネ片
３      ビス孔
４      ビス固定性向上材
４１    隆起突出部
４１１  凸部
４１２  突起
４２    円環部
４３    ライニング部
４４    係合凸部
５      有底開口部
６      係合凹部
７      機能性樹脂層
８      挿通孔
９      ビス
【図１】
2009074331.tif 000003
【図２】
2009074331.tif 000004
【図３】
2009074331.tif 000005
【図４】
2009074331.tif 000006
【図５】
2009074331.tif 000007
【図６】
2009074331.tif 000008
【図７】
2009074331.tif 000009
【図８】
2009074331.tif 000010
【図９】
2009074331.tif 000011